(57)【要約】【課題】  貨物室のパネルが静電気によるゴミの付着を防止し、パネル面を清浄に保って積荷の外観を損なうことなく搬送することができ、且つ大きな積荷でもオーバーランさせることなく正確に扉近傍まで押出すことができ、積荷を落下させることなく安全に荷降ろしができるトラックの貨物室を得る。【解決手段】  トラックの貨物室１の両側壁４と前壁２の内面に帯電防止剤を含む合成樹脂製シートを貼付し、且つ後部開口扉５近傍の内面に、床面、両側壁面に亘って所定幅の異色帯部１２を設けた。異色帯部の色は、黄色を採用することによって、危険区域表示として目立ち、且つ虫の忌避効果がある。【選択図】  図１
2005075032.tif 000002
【特許請求の範囲】
【請求項１】
トラックの貨物室内壁面に帯電防止剤を含む合成樹脂製シートを貼付してなることを特徴とするトラックの貨物室。
【請求項２】
前記合成樹脂製シートを貼付した貨物室内壁面が、貨物室の両側部内壁面と前壁面である請求項１に記載の貨物室。
【請求項３】
前記貨物室の後部開口扉近傍の内面に、床面、両側壁面に亘って所定幅の異色帯部を設けた請求項１又は２に記載のトラックの貨物室。
【請求項４】
前記異色帯部が、前記合成樹脂製シートの他の部分と異なる色の合成樹脂シートを貼付して構成されている請求項１〜３何れかに記載のトラックの貨物室。
【請求項５】
前記異色帯部の色が、虫の忌避効果のある色である請求項１〜５何れかに記載のトラックの貨物室。
【発明の詳細な説明】
【技術分野】
【０００１】
本発明は、トラックの箱形荷台である貨物室、特に該貨物室内面に貼付される積荷保護用のシートを貼付したトラックの貨物室に関する。
【背景技術】
【０００２】
一般にトラックの本体シャーシ上に架装される貨物室は、アルミニウム材等の金属板材で構成されているが、貨物室の両側壁面及び前面壁面（以下、単にパネル面という）に、パネル面の傷付き及び汚れ防止と積荷の緩衝のために、ポリエチレンフイルム等の合成樹脂シートを貼付している。一方、トラックの積荷は、例えば容器等の搬送は従来段ボールケース等に収納して搬送していたのが、近年省資源及び包装コストの低減化等で容器をシュリンクフイルムでのシュリンク包装だけで搬送する等、簡易包装物の搬送が多くなってきている。このような積荷は、包装材が疵付き易くかつ汚れ易く、貨物室のパネル面が汚れている場合は、搬送中のパネル面との接触により、汚れが付着してしまい、積荷の外観を損ねてしまうという問題点が発生する。そのため、パネル面を常に汚れの付着がない清浄な状態に保つことが求められている。合成樹脂シートを貼着してある貨物室の場合、パネル面を拭くことによって、比較的簡単にパネル面の汚れを落とすことが出来るが、合成樹脂シートは特に冬場等においては静電気が発生して、ゴミが付着し易く直ぐに汚れてしまい、頻繁にパネル面を拭かなければならなかったし、また拭いても静電気の吸着で汚れが落ち難いという問題点があった。
【０００３】
また、大きな荷物を搬送するトラックの貨物室には、床面にローラコンベヤを敷設してあり、積荷を降ろす場合、奥にある荷物は順次荷台床面のローラコンベヤ上を押して扉付近まで移動させ、そこからフォークリフト等で降ろしている。ところが、大きな荷物の場合、荷物を押している作業員から荷物の先端が出口位置に到達しているか否か直接目視しずらいため、たまに荷物を押しすぎて、荷物が荷台から転落してしまう事故が発生している。従来、トラックの貨物室に関するものとして、その構造面として軽量で十分剛性を持たせるために、貨物室を構成するパネルにＦＲＰ板を使用したもの（例えば、特許文献１）等種々の提案がなされているが、積荷の汚れ防止の観点や荷降しの際における積荷の落下事故防止の観点から、トラック貨物室の構造を改良する等の提案は見出せない。
【特許文献１】特開平０９−２０２１４５号公報
【発明の開示】
【発明が解決しようとする課題】
【０００４】
本発明は、上記従来の貨物室の問題点を解決しようとするものであり、貨物室の内壁面への静電気によるゴミの付着を防止し、内壁面を従来と比べて頻繁に拭かなくても清浄に保つことができ、積荷の外観を損なうことなく搬送することができ、且つ大きな積荷でもオーバーランさせることなく正確に扉近傍まで押出すことができ、積荷を落下させることなく安全に荷降しができるトラックの貨物室を提供することを目的とする。
【課題を解決するための手段】
【０００５】
上記課題を解決する本発明のトラックの貨物室は、内壁面に帯電防止剤を含む合成樹脂製シートを貼付してなることを特徴とする。前記合成樹脂製シートは、貨物室の両側部内壁面と前壁面に貼付するのが望ましい。また、前記貨物室の後部開口扉近傍の内面に、床面、両側壁面に亘って所定幅の異色帯部を設けることによって、荷降し時の事故防止に有効である。前記異色帯部は、前記合成樹脂製シートの他の部分と異なる色の合成樹脂シートを貼付して構成することができる。前記異色帯部の色は、虫の忌避効果のある色を採用することが望ましい。
【発明の効果】
【０００６】
本発明によれば、貨物室のパネルが静電気によるゴミの付着を防止し、パネル面を従来と比べて頻繁に拭かなくても清浄に保つことができ、作業負担を軽減させると共に積荷の外観を損なうことなく搬送することができる。また、請求項３の構成によれば、大きな積荷でもオーバーランさせることなく正確に扉近傍まで押出すことができ、特に側壁にも異色帯部を設けてあるので、側壁面と床面の両方で積荷の先端が危険区域に達しているか否か確認でき、目の錯覚による事故も確実に防ぐことができ、積荷の転落を防ぎ安全に荷降しができる。さらに、請求項４の構成によれば、積荷の押出し停止位置がより分かりやすくなると共に、貨物室内に虫が侵入することを防ぐ効果がある。
【発明を実施するための最良の形態】
【０００７】
以下、本発明を図１及び図２に示す実施形態により詳細に説明する。
図１は、トラックのシャーシ上に架装される貨物室の片側の側壁と天壁の約半分、及び片側の後部扉を破断した状態での概略斜視図である。本実施形態のトラックの貨物室１は、後方部のみ観音開きの扉となっている形式のものであり、床面２を除く他の部分の外壁面がアルミニウム材等の材料で形成され、内壁面はベニヤ板を積層して構成されたパネル構造となっており、前壁３、両側壁４及び扉５の内面には、帯電防止剤を含む合成樹脂製シートを貼付してある。なお、直接積荷が接触する恐れが少ない天井面にはコスト削減のために前記合成樹脂製シートを貼付していないが、必要に応じて天井面にも貼付しても良い。
【０００８】
帯電防止剤を含む合成樹脂製シートは、例えば合成樹脂に帯電防止材を練りこませたシートであり、その種類は特に限定されるものでなく公知のものが採用できるが、例えば、ポリエステル繊維に帯電防止剤を混合した塩化ビニール樹脂をコーティングしたものが好適に採用できる。そして、帯電防止材としては、陰イオン活性剤を３〜６％混合したものが望ましい。陰イオン活性剤が３％以下では帯電防止効果が少ないし、６％以上ではコスト高になるので、前記範囲が望ましい。しかしながら、帯電防止シートは、それに限るものでなく、静電気が発生し易い冬季において、毛髪等が付着しない程度の帯電防止性を有し、且つ汚れが拭き取りやすければよく、市販の帯電防止合成樹脂シートが適宜採用可能である。該帯電防止シートは、前壁、側壁及び扉の各内面に、図２に示すように、ベニヤ板６に、接着剤７、スポンジシート８、接着剤９、帯電防止合成樹脂シート１０の順に積層して貼付することによって、積荷との緩衝効果も増し、汚れの付着を防止すると共に、積荷の輸送中の衝撃を緩和し損傷を防止する効果もある。
【０００９】
貨物室からの荷降しの際、貨物室内で作業員が奥の積荷を床面のレールに沿って後部扉の開口部まで押して移動させるが、積荷が大きくて後端が見えないために、積荷を押し過ぎて、積荷が床面から落下してしまう事故が発生することがある。そこで、本発明ではそのような事故を防ぐ為に、後部開口部から一定距離の範囲に、積荷が大きくても積荷の後端が達したことを作業員が感知できるように、開口端部から所定幅の範囲にわたって、床面及び両側壁又は必要に応じて天井面に、貨物室内壁面の色（即ち、帯電防止合成樹脂シートの色）と違う色を塗装した異色帯部１２を設けた。異色帯部１２は、注意を喚起する色のペイントを塗って危険区域表示効果と共に後述するように害虫の侵入を防止するための害虫忌避効果を果たすものである。
【００１０】
危険区域表示１２を床面から両側壁に連続的に設けることによって、作業者が積荷を押している最中、積荷が大きくてもその側部から覗くことによって、その先端位置が危険区域に達していることを目の高さ位置と床面との両方で確認でき、安全に荷降し作業が出来る。したがって、異色帯部１２は、作業者が容易に感知できるように目立つものでなければならず、本実施形態では幅１１４０ｍｍに亘って黄色の塗料を塗装した。黄色は、危険表示として目立つばかりでなく、蛾やその他の虫が嫌う忌避効果もあり、このように荷台の開口入口部に黄色塗料を一定幅に亘って塗装することによって、貨物室内に蛾等の虫が侵入することを防止することができる。しかしながら、異色帯部１２の色は、黄色に限らず、上記２つの目的に適う色や模様であれば、特に限定されない。
【００１１】
以上、本発明の実施形態について説明したが、本発明は上記実施形態に限るものでなく、種々の設計変更が可能である。例えば、異色帯部１２の幅は上記範囲に限らず、任意に設定することができ、単に線で表すことも可能であるが、目立つことと虫の忌避効果を高めるためには、上記実施形態のように開口入口から所定幅を有していることが望ましい。また、上記実施形態では、貨物室は後部に観音開きの扉がある形式のものであったが、両側又は片側の側壁が上方に開くウイング形式の貨物室にも適用できることは言うまでもない。
【産業上の利用可能性】
【００１２】
本発明は、トラックの貨物室内壁から積荷への汚れ転化防止、積荷の損傷防止、及び荷降しの時の積荷の押し出し過ぎによる転落の防止、及び貨物室内への害虫の侵入忌避防止手段として有効である。
【図面の簡単な説明】
【００１３】
【図１】本発明の実施形態に係る貨物室の一部破断斜視図である。
【図２】帯電防止シートを貨物室パネルに貼付した状態を模式的に示す断面図である。
【符号の説明】
【００１４】
１  貨物室
２  床面
３  前壁
４  側壁
６  ベニヤ板
７、９  接着剤
８  スポンジシート
１０  帯電防止剛性樹脂シート
１２  異色帯部
【図１】
2005075032.tif 000003
【図２】
2005075032.tif 000004